(57)【要約】【課題】可動体の態様と所定の演出のずれにより、遊技者が違和を感じてしまうおそれを低減することが可能な遊技機を提供すること。【解決手段】態様を変化させることが可能な可動体２０と、前記可動体２０が所定の態様となったことを検出する検出手段４０と、前記検出手段４０によって前記可動体２０が前記所定の態様となったことが検出されたことを契機として、所定の演出を実行する演出実行手段と、を備える遊技機１とする。このような可動体２０を、操作手段１０を用いた操作演出に適用する場合、操作手段１０が操作されたタイミングでは前記所定の演出が実行されないこととなる。【選択図】図４
2018015648.tif 000002
【特許請求の範囲】
【請求項１】
態様を変化させることが可能な可動体と、
前記可動体が所定の態様となったことを検出する検出手段と、
前記検出手段によって前記可動体が前記所定の態様となったことが検出されたことを契機として、所定の演出音を出力する演出を実行する演出実行手段と、
遊技者が操作可能な操作手段と、
を備え、
前記操作手段と前記可動体を用いた操作演出において、前記演出実行手段は、前記操作手段が操作されたことを契機としてではなく、当該操作手段の操作後、前記可動体がその態様を変化させて前記所定の態様となったことが前記検出手段に検出されたことを契機として、前記所定の演出音を出力する演出を実行することを特徴とする遊技機。
【発明の詳細な説明】
【技術分野】
【０００１】
本発明は、可動体を備えた遊技機に関する。
【背景技術】
【０００２】
下記特許文献１には、可動体と音楽が同期するように可動体を駆動させる駆動モータを制御する遊技機が記載されている。
【先行技術文献】
【特許文献】
【０００３】
【特許文献１】特開２０１２−２０５８５１号公報
【発明の概要】
【発明が解決しようとする課題】
【０００４】
可動体によっては、その向き（姿勢）や形態によって決まる態様（遊技者の見た目）が変化するものがある。傾いた状態にあるとき等、可動体が完成状態にないときに、演出音の出力等の所定の演出が実行されると、遊技者が違和を感じてしまう。
【０００５】
本発明が解決しようとする課題は、可動体の態様と所定の演出のずれにより、遊技者が違和を感じてしまうおそれを低減することが可能な遊技機を提供することにある。
【課題を解決するための手段】
【０００６】
上記課題を解決するためになされた本発明にかかる遊技機は、態様を変化させることが可能な可動体と、前記可動体が所定の態様となったことを検出する検出手段と、前記検出手段によって前記可動体が前記所定の態様となったことが検出されたことを契機として、所定の演出音を出力する演出を実行する演出実行手段と、遊技者が操作可能な操作手段と、を備え、前記操作手段と前記可動体を用いた操作演出において、前記演出実行手段は、前記操作手段が操作されたことを契機としてではなく、当該操作手段の操作後、前記可動体がその態様を変化させて前記所定の態様となったことが前記検出手段に検出されたことを契機として、前記所定の演出音を出力する演出を実行することを特徴とする。
【０００７】
本発明にかかる遊技機では、可動体が所定の態様となったことが検出手段によって検出され、当該検出を契機として所定の演出音を出力する演出が実行されるから、可動体が所定の態様になるタイミングと、所定の演出音を出力する演出を実行するタイミングとを一致させることが可能である。
また、操作手段と可動体を用いた操作演出において、操作手段が操作されたことを契機として所定の演出音を出力する演出が実行されるようにすると、可動体の態様と所定の演出音を出力する演出にずれが生じてしまうおそれがある。上記構成とすれば、可動体が所定の態様となったことを契機として、所定の演出音を出力する演出が実行されるものであるため、このような事態の発生のおそれを低減することが可能である。
【発明の効果】
【０００８】
本発明にかかる遊技機によれば、可動体の態様と所定の演出のずれにより、遊技者が違和を感じてしまうおそれを低減することが可能である。
【図面の簡単な説明】
【０００９】
【図１】本発明の一実施形態にかかる遊技機の正面図である。
【図２】本発明の一実施形態にかかる遊技機の側面図（操作手段側の側面図）である。
【図３】可動体の一連の動きを説明するための図である。
【図４】操作演出（当否判定結果が大当たりとなる場合）を説明するための図である。
【図５】可動体が１２０度分回転する毎に基準態様となることを示した概念図である。
【発明を実施するための形態】
【００１０】
以下、本発明にかかる遊技機１の一実施形態について図面を参照して詳細に説明する。まず、図１を参照して遊技機１の全体構成について簡単に説明する。遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１１】
遊技領域９０２には、始動入賞口９０４、大入賞口９０６、アウト口などが設けられている。表示装置９１は、遊技盤９０の後方に設けられており、表示装置９１の表示領域９１１は遊技盤９０に形成された開口９０１を通じて視認可能となる領域である。なお、図３および図４では、表示領域９１１を大まかに記載するが、その形状等は適宜変更可能である（開口９０１の形状や大きさ、表示装置９１自体の形状や大きさを変更することで表示領域９１１の形状等を変更することができる）。
【００１２】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１３】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
大当たりの抽選（当否判定）は、図示されない制御基板（本実施形態では主制御基板）に設けられた当否判定手段が始動入賞口９０４への遊技球の入賞を契機として実行する（このような始動入賞口が複数設けられていてもよい）。具体的には、始動入賞口９０４への遊技球の入賞を契機として乱数源から数値が取得され、当該数値が予め定められた大当たりの数値と同じである場合には大当たりとなり、異なる場合にははずれとなる。大当たりに当選した場合には大当たり遊技が実行される。大当たり遊技は、大入賞口９０６が頻繁に開放状態となり、遊技者が多くの遊技球（いわゆる出玉）を獲得することができるものであって、公知の遊技機と同様であるため詳細な説明を省略する。獲得できる遊技球の期待値が異なる複数種の大当たり遊技が設定されていてもよい。
【００１６】
本実施形態では、公知の遊技機と同様に、表示装置９１の表示領域９１１に表示される図柄である識別図柄（図示せず）の組み合わせによって当否判定結果を遊技者に報知する。大当たりに当選している場合には識別図柄は最終的に所定の組み合わせ（例えば、同じ識別図柄の三つ揃い）で停止する。はずれである場合には識別図柄は最終的にそれ以外（大当たりとなる組み合わせ以外）の組み合わせで停止する。
【００１７】
本実施形態にかかる遊技機１は、最終的に識別図柄の組み合わせによって報知される当否判定結果がどのようなものとなるかを示唆する演出として、操作手段１０や可動体２０等を利用した操作演出が実行可能である。操作演出を含めた各種演出は、図示されない演出用の制御基板（本実施形態では、主制御基板と通信可能なサブ制御基板）によって制御される（かかる演出用の制御基板が、本発明における演出実行手段に相当することとなる）。
【００１８】
図１および図２に示す本実施形態における操作手段１０は、「剣」を模した構造物であって、遊技者が力を加えることで移動するものである。操作手段１０が所定量以上移動したときには、その移動が図示されない操作検出手段によって検出される。操作手段１０は、略上下方向にスライド可能に設けられる。操作手段１０は、図示されない付勢部材によって上側に付勢されており、遊技者が当該付勢部材の付勢力に抗して操作手段１０を所定量略下方（水平面よりも下向き）に押し下げると、当該操作手段１０の移動、すなわち遊技者によって操作手段１０が操作されたことが操作検出手段によって検出されることになる。なお、操作手段１０は、遊技者が操作可能であり、当該操作されたことを検出可能なものであればどのようなものであってもよい。また、操作手段１０は、本実施形態のように、遊技者の力で移動する物理的な構造体を有しているものに限られない。例えば、所定の範囲内に遊技者の手等が入り込んだことを検出するセンサを設けた遊技機に対し、当該センサが遊技者の手等を検出したことを「操作手段の操作」と置き換えたものとすることも可能である。つまり、遊技者の特定の動きを検出する手段を「操作手段」として適用することが可能である。
【００１９】
本実施形態における操作演出は、可動体２０を演出位置に位置させた後、遊技者に対して操作手段１０の操作を促し、対象の当否判定結果が大当たりとなる場合には可動体２０が後述する基準態様となり、はずれとなる場合には可動体２０が原位置に戻るものである。以下、本実施形態における可動体２０について説明する。
【００２０】
可動体２０は、上下方向にスライド可能かつ回転可能なものである。具体的には、原位置においては、その全部または大部分が遊技盤９０に覆われた状態にあり（図３（ａ）参照）、演出位置においては、その少なくとも一部が表示領域９１１に重なり、遊技盤９０に形成された開口９０１を通じて視認可能となるものである（図３（ｂ）（ｃ）参照）。つまり、原位置と演出位置の間をスライド（往復動作）可能なものである。また、少なくとも演出位置に位置する状態において、可動体２０は回転可能である（図３（ｂ）（ｃ）参照）。
【００２１】
本実施形態における可動体２０は、演出位置において、略正三角形状の構造物（以下、装飾部２１と称することもある）を構築する部分を有する（図３（ｂ）（ｃ）参照）。原位置においても当該略正三角形状の装飾部２１を構築した状態にあってもよい（スライドの前後で形態が変化しないものであってもよい）し、原位置から演出位置に移動するにつれて、または移動した後、当該略正三角形状の装飾部２１を構築するものであってもよい（スライドの前後で形態が変化するものであってもよい）。演出位置に位置する状態においては、当該略正三角形状の装飾部２１を少なくとも一部に含む可動体２０を回転させることができる。なお、本実施形態における可動体２０は、装飾部２１の内側の部分が後述するベース部材３０に接続されている。
【００２２】
したがって、演出位置において可動体２０が回転するということは、装飾部２１を含めた形態は変化しない（装飾部２１（正三角形状の構造物）の各頂点の向き等を考慮しなければ同じである。つまり、本実施形態では、図３（ｂ）に示す可動体２０（装飾部２１）の形態と、図３（ｃ）に示す可動体２０（装飾部２１）の形態は同じであるとする）が、装飾部２１の向き等が変化するため、遊技者の見た目（外観）である装飾部２１を含めた態様は変化するということになる（本実施形態では、図３（ｂ）に示す可動体２０（装飾部２１）の形態と、図３（ｃ）に示す可動体２０（装飾部２１）の形態は同じであるが、態様は異なるものであるとする）。本実施形態における装飾部２１は略正三角形状であるため、可動体２０が１２０度分回転（回動）する度に、その態様は同じ（完全に同一でなくてもよく、遊技者が同一視できる程度であればよい）になるということである（図５参照）。本実施形態では、略正三角形状の装飾部２１の頂点の一つが上方を向いた状態にあるときの可動体２０の態様が基準態様（本発明における所定の態様に相当する）として設定されている。
【００２３】
本実施形態では、可動体２０を回転自在に支持するベース部材３０を備える（図３等参照）。当該ベース部材３０は、駆動源によって上下方向にスライド可能な部材である。つまり、ベース部材３０がスライドすることにより、可動体２０の全体が上下方向にスライドすることになる。ベース部材３０のスライド機構はどのようなものであってもよいため、説明を省略する。
【００２４】
演出位置に位置する可動体２０は、ベース部材３０に対して回転する。つまり、ベース部材３０に対して変位することで、その態様を変化させる。なお、ベース部材３０をスライドさせる駆動源とベース部材３０に対して可動体２０を回転させる駆動源は、同じであってもよいし異なっていてもよい。本実施形態では、ベース部材３０をスライドさせる駆動源が遊技機１の本体側（遊技盤９０の後方）に固定されており、可動体２０を回転させる駆動源がベース部材３０に固定されている。
【００２５】
かかるベース部材３０には、検出手段４０が固定されている（図３（ｂ）（ｃ）参照）。検出手段４０は、可動体２０（装飾部２１）の略正三角形の一つの頂点を検出することができるものである。本実施形態における検出手段４０は、所定の範囲内に有体物が存在するか否かを判断することができる対物センサである。検出手段４０は、可動体２０（装飾部２１）の略正三角形の一つの頂点が上方を向いたとき、当該頂点の存在を検出することができるような位置に設けられている（図３（ｃ）参照）。つまり、検出手段４０によって、可動体２０が基準態様となったか否かが検出される。本実施形態では、可動体２０が１２０度分回転（回動）する度に、可動体２０が基準態様となったことが検出手段４０によって検出されることになる。
【００２６】
また、本実施形態にかかる遊技機１は、音を出力する音出力手段５０（スピーカ）を備える（図１参照）。音出力手段５０からは、所定のタイミングで予め設定されている演出用の音（演出音）が出力される。
【００２７】
以下、ある当否判定結果が大当たりとなるものであり、当該当否判定結果を報知する演出として、操作演出が実行される場合の演出の一例について説明する。操作演出では、まず、原位置に位置していた可動体２０（図４（ａ）参照）が演出位置に移動し、当該演出位置において回転する（図４（ｂ）参照）。具体的には、ベース部材３０のスライドによって原位置から演出位置に移動し、演出位置に到達した後、回転（装飾部２１が回転）する。
【００２８】
可動体２０が回転した状態で、遊技者に操作手段１０の操作を促す表示がなされる（図４（ｃ）参照）。当該表示はどのようなものであってもよい。例えば、「剣（操作手段１０）を押し込め」といった文字とともに、操作手段１０を模した画像が表示領域９１１に表示される。また、操作手段１０の操作が演出上反映される操作有効時間を示すタイマが併せて表示されてもよい。これを見た遊技者は、操作手段１０を操作するタイミングであることを認識する。
【００２９】
操作手段１０の操作が検出された後、演出位置において回転する可動体２０（図４（ｄ）参照）が有する略正三角形状の装飾部２１の一つの頂点が検出手段４０に検出されたとき、すなわち、当該略正三角形状の装飾部２１の一つの頂点が上向きとなった基準態様であることが検出されたとき（図４（ｅ）参照）、可動体２０の回転が停止し（基準態様で停止し）、音出力手段５０から所定の演出音が発せられる（図４（ｆ）参照）。つまり、本実施形態における可動体２０は、略正三角形状の装飾部２１の一つの頂点が上向きとなった状態が完成形状であるところ、操作手段１０が操作され、かつ当該完成形状が検出されたことを契機として、その演出効果を高めるための演出音が発せられる（当該演出音の発生が、本発明における所定の演出に相当する）。表示領域９１１には、略正三角形状の装飾部２１の一つの頂点が上向きとなった状態が完成形状であることを示すような表示がなされるとよい。例えば、可動体２０が回転している際に、表示領域９１１に略正三角形状の装飾部２１の一つの頂点が上向きとなった状態を示した画像を表示しておく、すなわち完成形状を模した画像を表示しておくことで、当該形状が完成形状であることを遊技者に認識させるようにしてもよい。
【００３０】
なお、基準態様が検出されたとき、演出音を発生させる以外の演出が実行されてもよい。例えば、表示領域９１１における可動体２０が重なっていない範囲に、演出効果を高めるための所定の画像が表示されるようにしてもよい。また、操作有効時間内に操作手段１０の操作がなされなかったときには、操作有効時間の経過後、最初に可動体２０が基準態様となったことが検出されたときに、所定の演出音を発生させる。つまり、本実施形態では、「操作有効時間の経過」というものが、「操作手段１０の操作」と同じように取り扱われるように設定されている。ただし、操作手段１０が操作されずに操作有効時間が経過してしまった場合には、上記のような演出が実行されない（全く異なる演出となる）ようにしてもよい。
【００３１】
このように、本実施形態にかかる遊技機１では、可動体２０が基準態様（所定の態様）となったことが検出手段４０によって検出され、それを契機として演出音が出力されるから、可動体２０が基準態様になるタイミングと、所定の演出を実行（開始）するタイミング（本実施形態では演出音を発生させるタイミング）とを一致させることが可能である。
【００３２】
特に、本実施形態のように、操作手段１０の操作が促される操作演出の場合、操作手段１０が操作されたことを契機として所定の演出が実行されるようにすると、可動体２０の態様と所定の演出にずれが生じてしまうおそれがある。本実施形態に沿って言えば、可動体２０が基準態様（完成形状）にないにも拘わらず、演出音が発生してしまう。本実施形態では、可動体２０が基準態様となったことを契機として、所定の演出が実行されるものであるため、このような事態の発生のおそれを低減することが可能である。
【００３３】
そして、本実施形態では、操作手段１０が操作されるという所定の条件を満たした後、可動体２０が最初に基準態様となったことが検出されたことを契機として演出音を発生させる。このように、可動体２０が複数の時点において外観が同一である基準態様となるものである場合には、可動体２０が最初に基準態様となったことを契機として所定の演出が実行されるようにすることで、所定の演出が実行されるタイミングが大幅に遅れてしまうのを抑制することが可能である。
【００３４】
特に、本実施形態では、可動体２０が一回転するまでの間に、複数の時点において外観が略同一である基準態様となる。したがって、基準態様となるまでの時間が短く、所定の演出が実行されるタイミングが大幅に遅れてしまうのを抑制することが可能である。外観が略同一になる時点を増加させればさせるほど、当該遅れを抑制することが可能である。本実施形態では、図５に示すように、頂点ａｐ１が上方を向いた基準態様となった後、１２０度分回転すると頂点ａｐ２が上方を向いた基準態様となり、そこからさらに１２０度分回転すると頂点ａｐ３が上方を向いた基準態様となる。このように、可動体２０は１２０度分回転（回動）するまでの間に必ず基準態様となるものであるから、可動体２０が１２０度分回転（回動）するのに必要な時間以上の遅れは生じない。
【００３５】
なお、本実施形態は、操作手段１０が操作された後、可動体２０が最初に基準態様となったことが検出手段４０に検出されたことを契機として可動体２０の回転を停止させるものである。そのため、操作手段１０が操作された後、再び可動体２０が基準態様となったことが検出されることはない。つまり、操作手段１０が操作されるという所定の条件を満たした後は、必要な検出の回数は一回のみである。一方、例えば可動体２０を別の演出で利用する場合、基準態様が検出された回数に基づき、可動体２０のおおよその変位量（本実施形態でいえば可動体２０のおおよその回転量）を判断する、といった制御に検出手段４０を利用してもよい。
【００３６】
そして、本実施形態では、可動体２０が基準態様となったかどうかを検出する検出手段４０は、可動体２０を支持し、可動体２０の全体を移動させるためのベース部材３０に設けられている。つまり、ベース部材３０は、可動体２０の全体を移動させる部材として機能するだけでなく、可動体２０が基準態様にあることを検出する検出手段４０を支持する部材としても機能させることができる。
【００３７】
対象の当否判定結果がはずれである場合の操作演出は、演出位置において可動体２０が回転した状態で操作手段１０が操作されたこと（または操作有効時間が経過したこと）を契機として可動体２０が原位置に戻る。なお、当該はずれである場合の演出はどのようなものであってもよい。はずれである場合も、可動体２０が基準態様となる位置まで回転させて、その後、はずれであることが示すような演出がなされる構成としてもよい。つまり、はずれである場合も、操作手段１０が操作された後、可動体２０が基準態様となることを契機として、所定の演出が実行されるように構成されていてもよい。
【００３８】
以上、本発明の一実施形態について詳細に説明したが、本発明は上記実施形態に何ら限定されるものではなく、本発明の要旨を逸脱しない範囲で種々の改変が可能である。
【００３９】
例えば、上記実施形態にかかる遊技機１はいわゆるぱちんこ遊技機であるが、可動体２０を備えるものであれば、スロットマシン等、他の遊技機に同様の技術思想を適用することも可能である。
【００４０】
上記実施形態は、操作手段１０が操作された後、演出位置で回転する可動体２０が基準態様となったことを契機として所定の演出が実行（開始）されるものであることを説明したが、可動体２０は回転するものに限られるわけではない。例えば、所定の範囲を往復動作する可動体において、当該可動体が往復動作範囲のちょうど中間地点に位置したときを基準態様とし、当該基準態様が最初に検出されたときに所定の演出が実行（開始）されるような構成としてもよい。このように、可動体の動きはどのようなものであってもよい。
【００４１】
また、上記実施形態では、検出手段４０が、略正三角形状の装飾部２１の一つの頂点を検出することで可動体２０が基準態様となったと判断する、すなわち、可動体２０の一部を検出することで、可動体２０が基準態様となったと判断するものであることを説明したが、その逆の構成であってもよい。つまり、検出手段のＯＮ（Ｈｉｇｈ）信号（可動体２０の一部を検出する状態）に基づき可動体２０が基準態様となったと判断するようにしてもよいし、検出手段のＯＦＦ（Ｌｏｗ）信号（可動体２０の一部が検出されない状態）に基づき可動体２０が基準態様となったと判断するようにしてもよい。いずれの検出手段も「可動体２０が基準態様（所定の態様）となったことを検出する検出手段」に相当するものとする。
【００４２】
上記実施形態から得られる具体的手段（遊技機）を以下に列挙する。
手段１にかかる遊技機は、態様を変化させることが可能な可動体と、前記可動体が所定の態様となったことを検出する検出手段と、前記検出手段によって前記可動体が前記所定の態様となったことが検出されたことを契機として、所定の演出を実行する演出実行手段と、を備えることを特徴とする。
手段１にかかる遊技機では、可動体が所定の態様となったことが検出手段によって検出され、当該検出を契機として所定の演出が実行されるから、可動体が所定の態様になるタイミングと、所定の演出を実行するタイミングとを一致させることが可能である。
手段２にかかる遊技機は、手段１に記載の遊技機において、遊技者が操作可能な操作手段と前記可動体を用いた操作演出が実行可能な遊技機において、前記演出実行手段は、前記操作手段が操作されたことを契機としてではなく、当該操作手段の操作後、前記可動体がその態様を変化させて前記所定の態様となったことが前記検出手段に検出されたことを契機として、前記所定の演出を実行することを特徴とする。
操作手段と可動体を用いた操作演出において、操作手段が操作されたことを契機として所定の演出が実行されるようにすると、可動体の態様と所定の演出にずれが生じてしまうおそれがある。上記手段２にかかる遊技機のような構成とすれば、可動体が所定の態様となったことを契機として、所定の演出が実行されるものであるため、このような事態の発生のおそれを低減することが可能である。
手段３にかかる遊技機は、手段１または手段２に記載の遊技機において、前記可動体は、一連の態様変化動作における間の複数の時点において外観が略同一である前記所定の態様となるものであり、前記演出実行手段は、所定の条件を満たした後、前記可動体が最初に前記所定の態様となったことを前記検出手段が検出したことを契機として、前記所定の演出を実行することを特徴とする。
手段４にかかる遊技機は、手段１から手段３のいずれかに記載の遊技機において、前記可動体は、回転するものであるとともに、一回転する間の複数の時点において外観が略同一である前記所定の態様となるものであり、前記演出実行手段は、所定の条件を満たした後、回転する前記可動体が最初に前記所定の態様となったことを前記検出手段が検出したことを契機として、前記所定の演出を実行することを特徴とする。。
手段３、４にかかる遊技機のように、可動体が複数の時点において外観が同一である所定の態様となるものである場合には、所定の条件を満たした後、最初に可動体が所定の態様となったことを契機として所定の演出が実行されるようにすることで、所定の演出が実行されるタイミングが大幅に遅れてしまうのを抑制することが可能である。
手段５にかかる遊技機は、手段１から手段４のいずれかに記載の遊技機において、前記可動体が支持される部材であって、駆動源の動力が伝達されることにより前記可動体の全体とともに移動するベース部材を備え、前記可動体は、前記ベース部材に対して変位することにより、その態様を変化させるものであり、前記検出手段は、前記ベース部材に設けられていることを特徴とする。
手段５にかかる遊技機のように、可動体が所定の態様となったかどうかを検出する検出手段は、可動体を支持し、可動体の全体を移動させるためのベース部材に設けることが可能である。つまり、ベース部材は、可動体の全体を移動させる部材として機能するだけでなく、可動体が所定の態様にあることを検出する検出手段を支持する部材としても機能させることができる。
【符号の説明】
【００４３】
１  遊技機
１０  操作手段
２０  可動体
２１  装飾部
３０  ベース部材
４０  検出手段
５０  音出力手段
９１  表示装置
９１１  表示領域
【図１】
2018015648.tif 000003
【図２】
2018015648.tif 000004
【図３】
2018015648.tif 000005
【図４】
2018015648.tif 000006
【図５】
2018015648.tif 000007